(57)【要約】      （修正有）【課題】簡易な構造で小型化された水田水位調整装置を提供する。【解決手段】側面に開口部４４を有する筒状の本体４０と、本体４０内における開口部４４近傍に収容されていて本体４０よりも小径の筒状で開口部６４が形成されている水門部６０と、水門部６０を上下動させる駆動部３０とを備え、駆動部３０は水門部６０の上部に取り付けられているねじ軸４６と、ねじ軸４６に螺合されているナット部３２と、ナット部３２を回転させるＤＣモータとを有する水田水位調整装置。【選択図】図３
2017073992.tif 000002
【特許請求の範囲】
【請求項１】
側面に開口部を有する筒状の本体と、
前記本体内で前記開口部近傍に収容されていて当該本体よりも小径の筒状で開口部が形成されている水門部と、
前記本体に対して前記水門部を移動させる駆動部と、
を備える水田水位調整装置。
【請求項２】
前記駆動部は、
前記水門部の上部に取り付けられているねじ軸と、
前記ねじ軸に螺合されているナット部と、
前記ナット部を回転させるモータと、
を有する、請求項１記載の水田水位調整装置。
【請求項３】
前記本体と前記水門部との間にシール部が位置する、請求項１記載の水田水位調整装置。
【請求項４】
さらに、前記駆動部の電源として、太陽電池を備える、請求項１記載の水田水位調整装置。
【請求項５】
前記開口部と前記開口部とが対面させることで開状態となる、請求項１記載の水田水位調整装置。
【発明の詳細な説明】
【技術分野】
【０００１】
本発明は、電動式水田水位調整装置に関する。
【背景技術】
【０００２】
特許文献１には、下部の水門部と、水門部の上面に直立した支柱と、支柱に支持された制御箱と、制御箱の上方に設けられた太陽電池とから構成されている、電力消費量の少ない水田水位調整装置が開示されている。
【０００３】
【特許文献１】特開平１１−１１３４３１号公報
【発明の開示】
【発明が解決しようとする課題】
【０００４】
しかし、特許文献１に開示されている水田水位調整装置は、水門部の開閉を制御するための制御装置が溶接された支柱に取り付けられる構成となっているため、その溶接作業という面倒な作業が必要であった。また、特許文献１に開示されている水田水位調整装置は、ポテンショメータであるとか、減速機などを備えており、水田の水位を調整するものとしては構造が複雑であった。
【０００５】
そこで、本発明は、面倒な作業を必要とせず、かつ、構造が簡易である、水田水位調整装置を提供することを課題とする。
【課題を解決するための手段】
【０００６】
上記課題を解決するために、本発明の水田水位調整装置は、
側面に開口部を有する筒状の本体と、
前記本体内で前記開口部近傍に収容されていて当該本体よりも小径の筒状で開口部が形成されている水門部と、
前記本体に対して前記水門部を移動させる駆動部と、
を備える。
【０００７】
また、前記駆動部は、前記水門部の上部に取り付けられているねじ軸と、前記ねじ軸に螺合されているナット部と、前記ナット部を回転させるモータと、を有してもよい。
【０００８】
前記本体と前記水門部との間には、ゴムシートなどによってシールをするとよい。なお、シールの位置は、前記開口部の下端から数ｃｍ下側にするとよい。
【０００９】
さらに、前記駆動部の電源として、太陽電池を備えてもよい。
【００１０】
なお、前記本体の開口部と前記水門部の開口部とが対面させることで開状態となるように構成されている。
【図面の簡単な説明】
【００１１】
【図１】本発明の実施形態における水田水位調整装置の側面図である。
【図２】図１に示す水田水位調整装置の平面図である。
【図３】図１に示す水田水位調整装置のＡ−Ａ断面図である。
【図４】図１に示す水田水位調整装置の水門部上昇時の斜視図である。
【図５】図１に示す水田水位調整装置の水門部下降時の斜視図である。
【符号の説明】
【００１２】
１０  蓋部
２０  第１筒部
３０  駆動ユニット
３２  ナット部
３４  歯車
３６  ＤＣモータ
３８  回路部
３９  バッテリー
４０  第２筒部
４２  シール部
４４  開口部
４６  ねじ軸
５０  Ｌ字筒部
６０  水門部
６２  柱部
６４  開口部
６６  天部
６８  取付部
１００  水田水位調整装置
【発明の実施の形態】
【００１３】
以下、本発明の実施形態について図面を参照して説明する。なお、各図に示す水田推移調整装置１００は、説明の都合上、主な構造の理解容易のための大きさ、寸法、比率で描かれている。したがって、実際には、水田推移調整装置１００のを用いる水田の規模、地形などに応じて、適宜、大きさ等はアレンジできるものとする。
【００１４】
図１は、本発明の実施形態における水田水位調整装置１００の側面図である。図２は、図１に示す水田水位調整装置の平面図である。図３は、図１に示す水田水位調整装置のＡ−Ａ断面図である。図４は、図１に示す水田水位調整装置の水門部上昇時の斜視図である。図５は、図１に示す水田水位調整装置の水門部下降時の斜視図である。
【００１５】
図１等には、以下説明する、蓋部１０と、第１筒部２０と、駆動ユニット３０と、第２筒部４０と、Ｌ字筒部５０と、水門部６０とを示している。これらは、例えば、塩化ビニル製とすることができるが、これらのうち一部或いは全部を、金属製としたり、他の樹脂製としたりすることもできる。
【００１６】
蓋部１０は、円筒状をしていて、第１筒部２０に対応する大きさとされている。蓋部１０は、第１筒部２０の上部に取り付けられる。蓋部１０の上面には、太陽電池を設置するなどして、そこでの発電により得られた電力を、後述するバッテリー３９の電源とすることもできる。第１筒部２０は、円筒状とされていて、内部には駆動ユニット３０に搭載された電気系統などが配される。第１筒部２０の下方には、駆動ユニット３０が取り付けられる。
【００１７】
第１筒部２０は、駆動ユニット３０の側面を覆う。蓋部１０は、駆動ユニット３０の上面を覆う。これにより、主として、駆動ユニット３０に搭載されるＤＣモータ３６、回路３８、バッテリー３９といった電気系統を風雨から保護することができる。
【００１８】
なお、電気系統が、洪水、雪害などによる被害を受けないように、蓋部１０と第１筒部２０と駆動ユニット３０とは接着剤などを用いて相互に接着させて、密閉性を担保することも一法である。
【００１９】
駆動ユニット３０は、上記のように、ＤＣモータ３６、回路３８及びバッテリー３９を備える。バッテリー３９は、ＤＣモータ３６及び回路３８の電源である。回路３８は、水門部６０の開閉を制御するための指示を受信する通信機能、当該通信機能により受信した指示に基づいてＤＣモータ３６の駆動を制御する制御機能を有するものである。
【００２０】
ＤＣモータ３６は、そのモータ軸に歯車３４が連結されている。また、歯車３４は、第１筒部２０の軸心に開口部分が位置合わせされたナット部３２にも連結されている。したがって、ＤＣモータ３６の駆動によって、そのモータ軸が回転すると、歯車３４を介して、ナット部３２が回転することになる。
【００２１】
駆動ユニット３０の下方には、第２筒部４０が位置する。第２筒部（本体）４０は、開口部４４を有する筒状の部材である。第２筒部４０内には、第２筒部４０の軸心に沿ったねじ軸４６が位置する。
【００２２】
ねじ軸４６の上部は、ナット部３２に螺合されている。ねじ軸４６の下端部は、取付部６８を通じて、水門部６０の天部６６に取り付けられている。したがって、上記のように、ＤＣモータ３６の駆動によってナット部３２が回転すると、ねじ軸４６が上下動することが可能となるため、水門部６０の開閉を制御することができる。なお、ナット部３２、ねじ軸４６及びＤＣモータ３６のモータ軸などは、例えば、錆びにくいようにステンレス製とすればよい。
【００２３】
水門部６０は、第２筒部４０よりも小径の筒状の部材である。水門部６０は、天部６６まで延びる例えば４つの柱部６２と、柱部６２間を構成する開口部６４とが上部に位置する。一方、水門部６０の下部には筒部６９が位置する。
【００２４】
この構成の場合、水門部６０が下降すると開状態となり、第２筒部４０の開口部４４と水門部６０の開口部６４とを通じて、水田の水が水門部６０内を通り、さらに、Ｌ字筒部５０の端部を通るルートで河川等に流れる。一方、水門部６０が上昇すると閉状態となり、筒部６９によって上記ルートは遮断され、水田の水は、河川等に流れなくなる。
【００２５】
もっとも、水門部６０の構成は、図１等に示すものに限定されず、柱部６２及び開口部６４が下部に位置し、上部には筒部６９が位置する構成として、水門部６０が上昇すると開状態となるようにしてもよい。
【００２６】
また、何らかの原因により、ＤＣモータ３６が暴走したとしても、水門部６０の可動域の上限を、天部６６が駆動ユニット３０の底面に当たって止まるように規定している。
【００２７】
また、第２筒部４０と筒部６９との間には、シール部４２が設けられている。シール部４２は、ゴムシート、Ｏリングなどによって構成することができる。シール部４２は、開口部４４の下端から数ｃｍ（例えば３ｃｍ〜５ｃｍ）の位置に設けられている。シール部４２の上側には、例えば、土を入れるなどして、小石やごみなどの異物がシール部４２と筒部６９との間に挟まらないようにしている。
【００２８】
第２筒部４０の下方には、Ｌ字筒部５０が位置する。なお、Ｌ字筒部５０のＬ字形状は、水を流す元である水田が高地で、水を流す先である河川等が低地にあるといった典型的な位置関係を考慮した形状であるが、水田水位調整装置１００の部材としてはＩ字状にし、別の部材で、水平方向に向けて水を流すような仕組みとしてもよい。水田水位調整装置１００は、水田とその排水溝との間の畦畔に、第２筒部４０の開口部４４の下端が、水田の土表面と同じかやや下（せいぜい１ｃｍ程度）となる位置に据え付ければよい。これにより、水門部６０の最大開門時には水田の水を完全に排出することが可能となる。
【図１】
2017073992.tif 000003
【図２】
2017073992.tif 000004
【図３】
2017073992.tif 000005
【図４】
2017073992.tif 000006
【図５】
2017073992.tif 000007